(57)【特許請求の範囲】
【請求項１】
内容物を収容する容器の口部に対して着脱可能に装着される装着筒と、
該装着筒の外側に設けられた外筒と、
該外筒及び装着筒の上端部を連結する天壁と、
前記装着筒、前記外筒、及び前記天壁によって囲まれる環状の収容凹部に、係合手段によって着脱可能に保持されるブラシ器具とを備え、
前記係合手段は、該外筒に形成された開口部に、該外筒の中心軸線に対して直交する方向に延びる軸部を中心として揺動可能に設けられた揺動部で構成され、
該揺動部は、前記軸部を挟んで両側に設けられた押圧部と係合部を有し、
該係合部の内面に設けられた係合突起が前記ブラシ器具の外縁に係合して、該ブラシ器具を前記収容凹部に保持し、
前記押圧部を外側から押し込むことにより、該係合部が外側に開くように揺動して、前記係合突起と、ブラシ器具の外縁との係合が解除されることを特徴とするブラシ器具付きキャップ。
【発明の詳細な説明】
【技術分野】
【０００１】
本発明は、内容物を充填した容器の口部に装着されるキャップに関し、特に、ブラシ器具を内部に収容したブラシ器具付きキャップに関するものである。
【背景技術】
【０００２】
従来、洗髪や毛髪の手入れを行う際に、頭皮の洗浄やマッサージを行うためのブラシ器具が提案されている（特許文献１参照）。このようなブラシ器具は、シャンプーや育毛剤等とともに使用されるため、それらの内容物が充填された容器と共に保管されることが望ましい。
【先行技術文献】
【特許文献】
【０００３】
【特許文献１】特開２００２−７８７６１号公報
【発明の概要】
【発明が解決しようとする課題】
【０００４】
しかしながら、このようなブラシ器具は、シャンプー等の容器とは別体であるため、それぞれ保管する空間を確保しなければならない。また、容器とブラシ器具とは別体であるため、保管の仕方によっては、洗髪する際にブラシ器具が見つからず、探すのに手間がかかるといった問題もある。また、持ち運ぶ際にも、別々に持ち運ばなければならないため、不便であった。
【０００５】
本発明は、このような問題点を解決することを課題とするものであり、容器の内容物の使用に際し用いられるブラシ器具の紛失を防止するとともに、保管時及び使用時の利便性に優れた、新規なブラシ器具付きキャップを提供することを目的とする。
【課題を解決するための手段】
【０００６】
上記課題を解決するため、内容物を収容する容器の口部に対して着脱可能に装着される装着筒と、
該装着筒の外側に設けられた外筒と、
該外筒及び装着筒の上端部を連結する天壁と、
前記装着筒、前記外筒、及び前記天壁によって囲まれる環状の収容凹部に、係合手段によって着脱可能に保持されるブラシ器具とを備えることを特徴とする。
【０００７】
また本発明に係るブラシ器具付きキャップは、前記係合手段が、該外筒に形成された開口部に、該外筒の中心軸線に対して直交する方向に延びる軸部を中心として揺動可能に設けられた揺動部で構成され、
該揺動部は、前記軸部を挟んで両側に設けられた押圧部と係合部を有し、
該係合部の内面に設けられた係合突起が前記ブラシ器具の外縁に係合して、該ブラシ器具を前記収容凹部に保持し、
前記押圧部を外側から押し込むことにより、該係合部が外側に開くように揺動して、前記係合突起と、ブラシ器具の外縁との係合が解除されることが好ましい。
【発明の効果】
【０００８】
本発明によれば、容器の内容物の使用に際し用いられるブラシ器具の紛失を防止するとともに、保管時及び使用時の利便性に優れた、新規なブラシ器具付きキャップを提供することが可能となる。
【図面の簡単な説明】
【０００９】
【図１】本発明の一実施形態に係るブラシ器具付きキャップの、容器への装着状態を示す断面図である。
【図２】図１のブラシ器具付きキャップを容器から取り外した様子を示す図である。
【図３】容器から取り外した図１のブラシ器具付きキャップの使用状態を示す図である。
【発明を実施するための形態】
【００１０】
以下、図面を参照しつつ、本発明をより具体的に説明する。図１は、本発明の一実施形態に係るブラシ器具付きキャップ１を側面側から見た断面図である。図１は、ブラシ器具付きキャップ１を、シャンプーや育毛剤等の内容物を収容する容器２の口部２ａに装着した装着状態を示している。
【００１１】
本実施形態のブラシ器具付きキャップ（キャップ）１は、容器２の口部２ａに対して、ねじ係合により着脱可能に装着される装着筒３と、装着筒３の外側に設けられた円筒状の外筒４と、外筒４及び装着筒３の上端部が連結された天壁５とを備える。また、キャップ１は、装着筒３、外筒４及び天壁５によって囲まれる環状の収容凹部６に、ブラシ器具７を着脱可能に収容している。なお、本実施形態において外筒４は、円筒状としているが、これに限定されるものではなく、例えば、断面が多角形や楕円形の筒状とすることも可能である。
【００１２】
容器２は、口部２ａの下端から外側に延びる肩部２ｂ、肩部２ｂの外縁から下方に延びる筒状の胴部２ｃ、及び胴部２ｃの下端を閉じる底部２ｄで構成される。また、口部２ａの上端には、注出口を有する中栓２ｅが嵌合固定されている。なお、容器２の形状は特に限定されるものではない。
【００１３】
外筒４には、収容凹部６にブラシ器具７を保持するための係合手段としての揺動部４ａが設けられている。本実施形態において、揺動部４ａは、外筒４の中心軸線ｃを挟んで対向する２か所に設けられている。揺動部４ａは、外筒４に形成された開口部４ｂに、軸部４ｃを中心として揺動可能に構成されている。本実施形態において、軸部４ｃは軸線ｃに直交する方向（水平方向）に延びており、軸部４ｃを挟んで上側を押圧部４ｄとし、下側を係合部４ｅとしている。また、本実施形態において揺動部４ａは、図２の矢印で示すように押圧部４ｄを外側から押しこむことで、係合部４ｅが外側に開くように揺動し、押圧力を解除すると、その復元力により自動的に図１に示す元の状態に戻る構成とされている。
【００１４】
押圧部４ｄの外面には、押し込む際の目印及び滑り止めの機能を有する凸部４ｆが設けられている。また、係合部４ｅの内面には、ブラシ器具７を保持するための係合突起４ｇが設けられている。なお、揺動部４ａは外筒４と一体に成形される構成としても良いし、別体として成形した後で、外筒４の開口部４ｂに組み付ける構成としても良い。また、押圧部４ｄと係合部４ｅを上下反対の構成としても良い。また、揺動部４ａは、収容凹部６内にブラシ器具７を係合保持し、外側からの操作で、ブラシ器具７に対する係合を解除可能であれば、特に形状や構造は限定されない。なお、揺動部４ａ及び係合突起４ｇの軸線方向における位置は、特に限定されるものではなく、ブラシ器具７との係合位置や、突起８ｃの高さ等の条件に応じて適宜設定可能である。
【００１５】
収容凹部６には、ブラシ器具７が収容されている。本実施形態におけるブラシ器具７は、容器２の内容物の使用に際して、頭皮の洗浄やマッサージを行うためのマッサージブラシである。ブラシ器具７は、剛性の異なる２つの部品を組み合わせたものであり、オレフィン樹脂、ウレタン樹脂、スチレン樹脂、ポリエステル樹脂等のエラストマー樹脂や合成ゴム等の軟質な材量、あるいは、ポリプロピレン樹脂（ＰＰ）、ポリエチレン（ＰＥ）樹脂等の比較的軟質な材料からなるブラシ部材８と、ブラシ部材８よりも硬質の樹脂材料等からなる枠部材９とで構成される。なお、ブラシ器具７の材料及び構造は特に限定されず、全体を１部品で構成してもよいし、３つ以上の部品を組み合わせた構成としてもよい。また、本実施形態のブラシ器具７は、全体が平面視で円環状に構成されているが、これに限定されず、円環状の一部を構成する形状としても良い。
【００１６】
ブラシ部材８は、装着筒３の外側に配置され、その外面３ａに対して摺動可能な内筒部８ａと、内筒部８ａの下端部から外側に延びる円環板状の底板８ｂと、底板８ｂの下面（ブラシ面）から下方に向けて突出する多数の突起８ｃと、を有する。
【００１７】
枠部材９は、内筒部８ａの外側に設けられた外筒部９ａと、外筒部９ａの下端部から外側に延びて底板８ｂの上面に配置される円環板状の上板９ｂと、上板９ｂの外縁部から下方に突出して底板８ｂの外縁を嵌合保持する保持部９ｃとを有する。本実施形態においては、図１に示すように、上板９ｂの外縁９ｄが係合突起４ｇと係合することにより、ブラシ器具７が収容凹部６内で保持される。
【００１８】
本実施形態のブラシ器具７を使用する際には、図１に示す装着状態からキャップ１を容器２に対して回転させて、装着筒３を口部２ａから螺脱する。その後、外筒４に設けられた一対の押圧部４ｄを２本の指で挟むようにして内側に押し込み、係合突起４ｇと上板９ｂの外縁９ｄと係合係合を解除してブラシ器具７を取り外す。
【００１９】
容器２からキャップ１を取り外した後は、容器２が開栓されるため、内容物の注出が可能となり、図３に示すように、キャップ１から取り外したブラシ器具７を用いて、頭皮の洗浄やマッサージを行うことができる。なお、本実施形態においては、ブラシ器具７の外筒部９ａを把持して、突起８ｃを当接面１１に押し当てる。なお、突起８ｃの材料、形状等を適宜設定することにより、洗浄やマッサージに適した感触となるよう調整することができる。ブラシ器具７の使用後は、装着筒３を内筒部８ａの内側に挿入するようにして、ブラシ器具７を収容凹部６内に収容する。ブラシ器具７を押し込んでいくと、上板９ｂの外縁９ｄの上部に設けた傾斜面９ｅが係合突起４ｇに摺動して、係合部４ｅが外側に開き、さらに押し込むと、係合部４ｅが復元力により内側に戻り、係合突起４ｇと外縁９ｄが係合して、ブラシ器具７が収容凹部６に係合保持されることとなる。
【００２０】
そして、キャップ１を容器２に装着する際には、キャップ１を、取り外し時とは逆方向に回転させて装着筒３を口部２ａに螺着していく。なお、本実施形態のように、ねじ係合するキャップ１においては、口部２ａと装着筒３との間に、キャップ１の締め込みにより乗り越えて係合する凹凸状のロック機構を設けて回り止めとすることができ、このような構成とすることで、キャップ１が誤って回転して緩んだり、容器２から外れたりすることを防止することができる。
【００２１】
上記のような本実施形態のブラシ器具付きキャップ１にあっては、容器２の内容物の使用に際し用いられるブラシ器具７を、キャップ１の内側の収容凹部６に収容する構成としたことで、キャップ１の装着状態では容器２とブラシ器具７とが一体となる。これにより、ブラシ器具７を容器２と別に保管するための空間が不要となるとともに、ブラシ器具７の紛失を防止することができる。また、一体として持ち運ぶことができるので、携帯して移動する際にも便利である。
【００２２】
また、本実施形態のブラシ器具付きキャップ１にあっては、ブラシ器具７を取り外し可能としたことで、使用により古くなったブラシ器具７を交換することが可能となる。また、汚れた場合の洗浄も容易である。
【００２３】
また、本実施形態のブラシ器具付きキャップ１にあっては、容器２にキャップ１を装着した状態において、キャップ１の内側に収容したブラシ器具７が、ほとんど又は全く外部に露出しないため、容器２の外部にブラシ器具７を取り付ける場合に比べて、外観上もすっきりとしたものとなる。なお、図１に示す装着状態において、外筒４の下端が、ブラシ器具７の下端（突起８ｃの下端）よりも下方に位置することが好ましく、このような構成とすることで、ブラシ器具７を外部からより視認し難くすることができる。
【００２４】
また、本実施形態のブラシ器具付きキャップ１にあっては、外側から押圧部４ｄを押し込むだけでブラシ器具７をキャップ１から取り外すことができるので、使用時の利便性に優れている。
【００２５】
また、本実施形態のブラシ器具付きキャップ１にあっては、ブラシ器具７を比較的軟質の樹脂材料からなるブラシ部材８と、ブラシ部材８よりも硬質の樹脂材料等からなる枠部材９とで構成したことにより、当接面１１に対して適度な弾力を持つ突起８ｃを当接させることが可能となり、また、枠部材９が適度な剛性を有するので、係合突起４ｇと外縁９ｄとの係合が誤って解除されて、ブラシ器具７が外れる虞を低減することができる。
【００２６】
以上、図示例に基づき説明したが、本発明は上述の実施形態に限定されるものでなく、特許請求の範囲の記載範囲内で適宜変更することができるものであり、例えば、装着筒３と容器２の口部２ａとの係合態様を、ねじ係合ではなく、アンダーカット係合とし、軸線方向の圧入及び引き抜きにより着脱可能な構成としても良い。また、上述の実施形態では、ブラシ器具７を頭皮の洗浄やマッサージを行うためのマッサージブラシとして説明したが、これに限定されず、例えば、洗顔料を収容する容器に装着される、洗顔用ブラシとすることも可能である。また、洗濯用洗剤を収容する容器に装着される、汚れた衣類に洗剤を塗布するための器具、または擦ることで汚れを落とすための洗濯用ブラシ等としても良い。また、本発明における係合手段としては、上述の揺動部４ａのような構成に限られず、より簡易的な構造とすることも可能である。例えば、ブラシ器具７を収容する際には径方向外側に弾性変形するエラストマー等の弾性材料からなる突起を外筒４の内面に設けて、ブラシ器具７を係合保持する構成としても良い。また、同様にバネ等の弾性部材を介して設けられた突起を外筒４の内面に設けても良いし、単純に外筒４の内面に外筒４と同材料の突起を一体に設けて、外筒４の弾性変形によりブラシ器具７の押し込みを可能とする構成としてもよい。これらの場合、ブラシ器具７を取り外すために、例えば、天壁５又は外筒４に開口を形成して、指又は棒状部材等でブラシ器具７を押し出す構成とすることができる。また、単純に取り外したキャップ１から、突起８ｃを引張ることで取り外すことも可能である。
【符号の説明】
【００２７】
１  ブラシ器具付きキャップ（キャップ）
２  容器
３  装着筒
４  外筒
４ａ  揺動部（係合手段）
４ｂ  開口部
４ｃ  軸部
４ｄ  押圧部
４ｅ  係合部
４ｆ  凸部
４ｇ  係合突起
５  天壁
６  収容凹部
７  ブラシ器具
８  ブラシ部材
８ａ  内筒部
８ｂ  底板
８ｃ  突起
９  枠部材
９ａ  外筒部
９ｂ  上板
９ｃ  保持部
９ｄ  外縁
１１  当接面
【図１】
0006308890.tif 000002
【図２】
0006308890.tif 000003
【図３】
0006308890.tif 000004